(57)【要約】【課題】  固定選別筒体内においてその内面に被選別穀物を摺接する作用をもって被選別穀物に与える衝撃を少なくし、破砕等の損傷を起こすことなく粒径選別をすることができる穀粒選別装置を提供する。【解決手段】  穀粒選別装置１は、被選別穀物を粒径選別する装置である。穀粒選別装置１は、規定網目の選別網面４を有する固定選別筒体２と、固定選別筒体２の内面に接して回転する可撓性板５からなる掻き上げ回転体３とで構成する。固定選別筒体２の一端面は一体の側面板６で閉じてあって、側面板６に被選別穀物の供給口７を形成するとともに側面板７の外面に沿って供給ホッパ８を一体に設けてある。装置外装体１１の固定選別筒体２の開口している他端面が対向する面には、固定選別筒体２から被選別穀物を排出する排出口１２を設けてある。【選択図】        図１
2007296483.tif 000002
【特許請求の範囲】
【請求項１】
被選別穀物を粒径選別する穀粒選別装置であって、
規定網目の選別網面を有する固定選別筒体と、固定選別筒体の内面に接して回転する可撓性板からなる掻き上げ回転体とで構成され、
固定選別筒体の一端面は一体の側面板で閉じてあって、側面板に被選別穀物の供給口を形成するとともに側面板の外面に沿って供給ホッパを一体に設けてあり、
装置外装体の上記固定選別筒体の開口している他端面が対向する面に、固定選別筒体から被選別穀物を排出する排出口を設けてある
ことを特徴とする穀粒選別装置。
【請求項２】
固定選別筒体は、その開口している他端側から装置外装体内に挿入して一端側の側面板を装置外装体に固定して装備することを特徴とする請求項１記載の穀粒選別装置。
【請求項３】
固定選別筒体の一端面に一体に設けてある供給ホッパは、固定選別筒体を装置外装体に挿入したり取り外す際に手指を掛ける把手を兼ねていることを特徴とする請求項２記載の穀粒選別装置。
【請求項４】
可撓性板からなる掻き上げ回転体は、被選別穀物の供給側端に供給される被選別穀物を掻き込む起立部を形成してあることを特徴とする請求項１記載の穀粒選別装置。
【請求項５】
可撓性板からなる掻き上げ回転体を回転駆動する電動機は、装置外装体の上面に配置してあって、装置外装体の上面壁に起立固定したボルトに電動機がダブルナットによって取付け設置高さ調節自在に装着されており、掻き上げ回転体と電動機間の伝動ベルトの張りを電動機の設置高さにより調節する構成としたことを特徴とする請求項１記載の穀粒選別装置。
【発明の詳細な説明】
【技術分野】
【０００１】
本発明は、玄米または白米等の被選別穀物を粒径、粒状により選別する穀粒選別装置に関するものである。
【背景技術】
【０００２】
摺機で籾摺りした玄米または精米機で精米した白米には、粒径の小さい未熟粒が混在していたり、また籾摺りによって穀粒の表面が摩擦や研削作用を受けるところから、穀粒の一部に破砕が生じたり、変形が生じることが避けられない。このため、従来から、玄米または精白米を粒状選別して屑粒を除去する穀物選別装置として回転する選別網筒を備えた構成のものが広く用いられている（実開平５−２８４６７号公報、特開２００４−２４３１５６公報、実開平６−５７４６７号公報、実開平５−２２０７２号公報、実用新案登録第３０２４５６３号公報参照）。
【０００３】
また、玄米または白米を米選機により選別して屑粒として取り出されたものを再選別して、用途別に穀粒を区分けすることが行われており、そのための穀類選別装置に付設して使用する穀粒選別機も開発されている（特開２０００−２１８２３３公報、特開２０００−２０２３６４公報参照）。
【特許文献１】実開平５−２８４６７号公報
【特許文献２】特開２００４−２４３１５６公報
【特許文献３】実開平６−５７４６７号公報
【特許文献４】実開平５−２２０７２号公報
【特許文献５】実用新案登録第３０２４５６３号公報
【特許文献６】特開２０００−２１８２３３公報
【特許文献７】特開２０００−２０２３６４公報
【発明の開示】
【発明が解決しようとする課題】
【０００４】
ところで、前掲の特許文献において紹介されているように、回転する選別網筒を備えた構成の穀物選別装置にあっては、被選別穀物を回転する選別網筒内でその回転にともなって激しく撹拌したり揺動させるところから、被選別穀物の衝撃による破砕等の損傷率が高く、殊に籾摺りした玄米や精白した白米のように地肌が露出している穀粒ではその傾向が著しく、玄米や白米用のものについてはその改善が求められていた。
【０００５】
そこで本発明は、規定網目の選別網面を有する固定選別筒体と、固定選別筒体内にその内面に接して回転する可撓性板からなる掻き上げ回転体により穀粒選別装置を構成することにより、固定選別筒体内においてその内面に被選別穀物を摺接する作用をもって被選別穀物に与える衝撃を少なくし、破砕等の損傷を起こすことなく粒径選別をすることができる穀粒選別装置を提供するものである。
【課題を解決するための手段】
【０００６】
上記目的を達成するための本発明の請求項１に係る穀粒選別装置は、被選別穀物を粒径選別する穀粒選別装置であって、規定網目の選別網面を有する固定選別筒体と、固定選別筒体の内面に接して回転する可撓性板からなる掻き上げ回転体とで構成され、固定選別筒体の一端面は一体の側面板で閉じてあって、側面板に被選別穀物の供給口を形成するとともに側面板の外面に沿って供給ホッパを一体に設けてあり、装置外装体の上記固定選別筒体の開口している他端面が対向する面に、固定選別筒体から被選別穀物を排出する排出口を設けてあることを特徴とするものである。
【０００７】
また、本発明の請求項２に係る穀粒選別装置は、請求項１記載の構成において、固定選別筒体は、その開口している他端側から装置外装体内に挿入して一端側の側面板を装置外装体に固定して装備することを特徴とするものである。
【０００８】
本発明の請求項３に係る穀粒選別装置は、請求項２記載の構成において、固定選別筒体の一端面に一体に設けてある供給ホッパは、固定選別筒体を装置外装体に挿入したり取り外す際に手指を掛ける把手を兼ねていることを特徴とするものである。
【０００９】
本発明の請求項４に係る穀粒選別装置は、請求項１記載の構成において、可撓性板からなる掻き上げ回転体は、被選別穀物の供給側端に供給される被選別穀物を掻き込む起立部を形成してあることを特徴とするものである。
【００１０】
本発明の請求項５に係る穀粒選別装置は、請求項１記載の構成において、可撓性板からなる掻き上げ回転体を回転駆動する電動機は、装置外装体の上面に配置してあって、装置外装体の上面壁に起立固定したボルトに電動機がダブルナットによって取付け設置高さ調節自在に装着されており、掻き上げ回転体と電動機間の伝動ベルトの張りを電動機の設置高さにより調節する構成としたことを特徴とするものである。
【発明の効果】
【００１１】
本発明に係る穀粒選別装置によれば、規定網目の選別網面を有する固定選別筒体と、固定選別筒体内にその内面に接して回転する可撓性板からなる掻き上げ回転体により穀粒選別装置を構成することにより、固定選別筒体内においてその内面に被選別穀物を摺接する作用をもって被選別穀物に与える衝撃を少なくし、破砕等の損傷を起こすことなく粒径選別をすることができるものである。
【００１２】
図１に示すように、本発明に係る穀粒選別装置１は、固定選別筒体２と、掻き上げ回転体３を備えて構成され、固定選別筒体２は規定網目の選別網面４を有し、掻き上げ回転体３は、固定選別筒体２内でその内面に接して回転する可撓性板５、５を備えているものである。可撓性板５、５は、ウレタンゴム板のように適度の弾発性と撓み性を有するとともに固定選別筒体２の内面に対して摩擦係数の低い材料であることが好適である。なお、掻き上げ回転体３は、適度の弾発性と撓み性を有するとともに固定選別筒体２の内面に対して摩擦係数の低いものであれば、ブラシなどに代えることもできる。
【００１３】
固定選別筒体２の一端面は、それと一体をなす側面板６で閉じられている。側面板６には、固定選別筒体２の軸心位置より下方の部位に被選別穀物の供給口７が形成されているとともに、側面板６の外面に沿って上方に開口する供給ホッパ８が一体に設けられている。側面板６にはその固定選別筒体２の軸心位置に、掻き上げ回転体３の軸９の一方の軸受１０が設けられている。１１は装置外装体であって、装置外装体１１の上記固定選別筒体２の開口している他端面が対向する面には、固定選別筒体２内の最下位から被選別穀物を排出する排出口１２が設けており、１３はその排出樋である。１４は軸孔であってその外側には、掻き上げ回転体３の軸受が設けられている。１５は屑粒排出口である。
【００１４】
固定選別筒体２の一端面を閉じる側面板６は固定選別筒体２に対してフランジを形成する大きさであり、固定選別筒体２は、その開口している他端側から装置外装体１１内に挿入して、一端側の側面板６を装置外装体１１にネジ止め等により固定して装備するようになっている。
【００１５】
固定選別筒体２の一端面に一体に設けてある供給ホッパ８は、固定選別筒体２を装置外装体１１に挿入したり取り外す際に手指を掛ける把手を兼ねるものであり、このため供給ホッパ８はその前面壁および両側面が手指で掴みやすく、かつ安定して掴み保持できる形状に形成されている。側面板６と一体となっている供給ホッパ８は、前述のように側面板６の外面に沿って固定選別筒体２の軸心位置より下方にあるので、装置外装体１１に対する固定選別筒体２の挿入または取り外しの際に供給ホッパ８を把手として手指で掴みやすく、その作業が良好である。
【００１６】
可撓性板５からなる掻き上げ回転体３は、被選別穀物の供給側端に掻き込みのための起立部１６、１６が形成されており、この起立部１６、１６は、供給ホッパ８に投入されて供給口７から固定選別筒体２内に供給される被選別穀物を排出口１２方向に掻き込んで被選別穀物の流れを良くする作用をするものである。起立部１６、１６は、掻き上げ回転体３の軸９を挟んで互いに異なる方向に起立し、可撓性板５の面に対して外向きに傾斜しており、その傾斜角は約６０°である。
【００１７】
図２に示すように、掻き上げ回転体３を回転駆動する電動機１７は、装置外装体１１の上面に配置されている。すなわち、装置外装体１１の上面壁には、電動機１７を取り付けるための複数のボルト１８が起立固定されており、電動機１７は、ボルト１８に対して電動機１７の取付部を上下に挟むダブルナット１９により取付固定され、ダブルナット１９により電動機１７はその設置高さが調節できるよう構成されている。電動機１７の出力軸２０のプーリ２１と、掻き上げ回転体３の軸９のプーリ２２間には伝動ベルト２３が懸架されており、掻き上げ回転体３は電動機１７により回転駆動される。そして、掻き上げ回転体３と電動機１７間の伝動ベルト２３の張り（テンション）は、ダブルナット１９による電動機１７の設置高さによって簡便かつ的確に調節することができるようになっている。なお、電動機１７の設置高さは、装置外装体１１に形成したウエルドナットと、ボルト１８の下側のナットで装置外装体１１を挟んで調節することもできる。２４は電源スイッチである。
【００１８】
本発明に係る穀粒選別装置１は、固定選別筒体２の内面に接して回転する可撓性板５からなる掻き上げ回転体３を備えてなるものであり、掻き上げ回転体３は適度の弾発性と撓み性を有するとともに固定選別筒体２の内面に対して摩擦係数の低いものであるから、選別可能な掻き上げ回転体３の回転数は低速域から高速域まで広範囲にわたって設定することが可能である（５０ｒ．ｐ．ｍ〜１５００ｒ．ｐ．ｍ程度）。
【００１９】
掻き上げ回転体３を回転駆動する電動機１７を、上記のように装置外装体１１の上面に起立固定したボルト１８に取り付ける構成としたことにより、電動機１７の取付構成が著しく簡素化されるとともに、電動機１７の取付状態の調整等も簡便に行うことができる。
【００２０】
図２に示すように、被選別穀物の供給口７が固定選別筒体２の軸心位置より下方の部位に形成されているとともに、排出口１２が固定選別筒体２内の最下位から位置に設けているので、供給口７と排出口１２の高さの差ｈを小さく設定することが可能となる。このため、主たる穀類選別装置に本発明に係る穀粒選別装置１を付設して使用する場合において、主たる穀類選別機の屑粒排出口に本発明に係る穀粒選別装置１の供給ホッパ８を対応させても排出口１２の高さを十分確保することができ、排出口１２からの穀粒受ける収容態様の自由度が高く作業性がきわめて良好である。
【００２１】
固定選別筒体２の選別網面４は、周方向に細長の網目をなしており、その網目の目幅は１．５ｍｍ〜３．０ｍｍ程度まで広範囲に選定することができる。
【００２２】
本発明による穀粒選別装置は、規定網目の選別網面を有する固定選別筒体と、固定選別筒体の内面に接して回転する可撓性板からなる掻き上げ回転体とで構成されるので、選別網筒を回転させる構成のものに比して構成が簡素であって故障の発生が少ないなど、機能面だけでなく構造的にも大いに優れている。
【産業上の利用可能性】
【００２３】
本発明による穀粒選別装置は、玄米または白米の粒径選別に限らず、種籾や貯蔵性に優れていため籾のまま貯蔵される食用籾の選別手段として今後の利用可能性の拡大が期待できる。
【図面の簡単な説明】
【００２４】
【図１】本発明に係る穀粒選別装置の要部の分解斜視図である。
【図２】本発明に係る穀粒選別装置の全体側面図である。
【図３】本発明に係る穀粒選別装置における固定選別筒体の斜視図である。
【符号の説明】
【００２５】
１  穀粒選別装置
２  固定選別筒体
３  掻き上げ回転体
４  選別網面
５  可撓性板
６  側面板
７  供給口
８  供給ホッパ
９  軸
１０  軸受
１１  装置外装体
１２  排出口
１３  排出樋
１４  軸孔
１５  屑粒排出口
１６  起立部
１７  電動機
１８  ボルト
１９  ダブルナット
２０  出力軸
２１  プーリ
２２  プーリ
２３  伝動ベルト
２４  電源スイッチ
ｈ  供給口と排出口の高さの差
【図１】
2007296483.tif 000003
【図２】
2007296483.tif 000004
【図３】
2007296483.tif 000005